(57)【特許請求の範囲】
【請求項１】
開口部を開閉するシャッタカーテンを巻取りシャフトにより巻取り可能とし、該巻取りシャフトがバランススプリングにより前記シャッタカーテンの巻取り方向に付勢され、該シャッタカーテンの下部に位置する部材に開閉モータを取付け、該開閉モータの出力軸に駆動ギアを嵌着すると共にガイドローラを回転自在に設け、前記シャッタカーテンのガイドレールに密着させて設けたローラガイド及び該ローラガイドに取付けられるガイドバーにより前記ガイドレールに沿ってガイド溝が構成され、該ガイド溝の１内側面にラックギアを設け、該ラックギアに前記駆動ギアを噛合させると共に前記ガイドローラを前記内側面に対向する他の内側面に転動自在に当接させ、前記開閉モータの駆動により、前記シャッタカーテンを開閉可能としたことを特徴とする建物用シャッタ。
【請求項２】
前記開閉モータは電池駆動式であり、座板に可充電式電池が設けられると共に受電ソケットが設けられ、該受電ソケットは前記シャッタカーテンが開状態で、開口部のまぐさに設けられた給電ソケットに結合可能であり、前記受電ソケットと前記給電ソケットの結合で前記可充電式電池が充填される様になっている請求項１の建物用シャッタ。
【請求項３】
前記出力軸は良電性を有し、又該出力軸の一部に絶縁チューブを介して接点チューブが設けられ、前記ガイド溝の内側面に長手方向全長に亘って一対の接点バーが設けられ、該接点バーの１つは前記出力軸に接触し、前記接点バーの他方は前記接点チューブに接触し、前記出力軸に接触する受電接点と前記接点チューブに接触する受電接点が前記シャッタカーテンに設けられ、前記接点バーは電源に接続され、前記受電接点は前記開閉モータに接続され、前記接点バー、前記受電接点を介して前記開閉モータに給電可能となっている請求項１の建物用シャッタ。
【発明の詳細な説明】
【０００１】
【発明の属する技術分野】
本発明は建屋の出入口、窓等の開口部を開閉する建物用シャッタ、特にシャッタの開閉機構の改良に関するものである。
【０００２】
【従来の技術】
建物用シャッタ、例えばスプリングバランス式の建物用シャッタは、出入口のまぐさに沿ってシャッタカーテン収納部が設けられている。該収納部にはシャッタカーテンを巻取る巻取りシャフトが設けられ、該巻取りシャフトにはバランススプリングが設けられ、該バランススプリングは巻取りシャフトにシャッタカーテン巻取り方向の力を付勢してシャッタカーテンの自重をバランスさせ、大きな力を要することなく簡単に開閉できる様にしてある。
【０００３】
又、近年では一般住宅でもシャッタの電動化が進み、前記した建物用シャッタもモータにより開閉するものが普及しつつある。
【０００４】
従来の電動式建物用シャッタでは、収納部に開閉モータ或は減速機、クラッチ・ブレーキ等で構成される開閉機が設けられる。開閉機は前記巻取り軸と平行に組込まれるもの、或は前記巻取り軸に組込まれるものがある。
【０００５】
【発明が解決しようとする課題】
前記した従来の建物用シャッタ開閉機構では、収納部側に開閉機を設ける為のスペースが必要となり、開閉機を設けるスペースがない場合は、電動化できないか、或は建屋側を壊す等しなければならなかった。更に、特に巻取り軸に開閉機が組込まれた形式のものでは、シャッタカーテンが巻取られた状態で故障した場合に、開閉機の周囲にシャッタカーテンが巻付いた状態となるので修理が複雑になるという問題があった。
【０００６】
本発明は斯かる実情に鑑み、特にスペースを必要とすることなく、簡単に電動化が可能であり、又保守性に優れた建物用シャッタを提供しようとするものである。
【０００７】
【課題を解決するための手段】
本発明は、開口部を開閉するシャッタカーテンを巻取りシャフトにより巻取り可能とし、該巻取りシャフトがバランススプリングにより前記シャッタカーテンの巻取り方向に付勢され、該シャッタカーテンの下部に位置する部材に開閉モータを取付け、該開閉モータの出力軸に駆動ギアを嵌着すると共にガイドローラを回転自在に設け、前記シャッタカーテンのガイドレールに密着させて設けたローラガイド及び該ローラガイドに取付けられるガイドバーにより前記ガイドレールに沿ってガイド溝が構成され、該ガイド溝の１内側面にラックギアを設け、該ラックギアに前記駆動ギアを噛合させると共に前記ガイドローラを前記内側面に対向する他の内側面に転動自在に当接させ、前記開閉モータの駆動により、前記シャッタカーテンを開閉可能とした建物用シャッタに係り、又前記開閉モータは電池駆動式であり、座板に可充電式電池が設けられると共に受電ソケットが設けられ、該受電ソケットは前記シャッタカーテンが開状態で、開口部のまぐさに設けられた給電ソケットに結合可能であり、前記受電ソケットと前記給電ソケットの結合で前記可充電式電池が充填される様になっている建物用シャッタに係り、更に又前記出力軸は良電性を有し、又該出力軸の一部に絶縁チューブを介して接点チューブが設けられ、前記ガイド溝の内側面に長手方向全長に亘って一対の接点バーが設けられ、前記接点バーの１つは前記出力軸に接触し、該接点バーの他方は前記接点チューブに接触し、該出力軸に接触する受電接点と前記接点チューブに接触する受電接点が前記シャッタカーテンに設けられ、前記接点バーは電源に接続され、前記受電接点は前記開閉モータに接続され、前記接点バー、前記受電接点を介して前記開閉モータに給電可能となっている建物用シャッタに係るものである。
【０００８】
【発明の実施の形態】
以下、図面を参照しつつ本発明の実施の形態を説明する。
【０００９】
図１〜図４に於いて、第１の実施の形態を説明する。
【００１０】
図示しないまぐさに沿ってシャッタカーテン収納部（図示せず）を取付ける。該シャッタカーテン収納部は、巻取りシャフトとバランススプリングを有し、シャッタカーテン１は前記巻取りシャフトに巻取られると共に前記バランススプリングにより上方に付勢される。
【００１１】
側柱２に沿ってシャッタガイドレール３を取付ける。帯板材を断面がクランク状になる様に長手方向に沿って折曲げてローラガイド４を形成し、該ローラガイド４を前記シャッタガイドレール３に密着させて前記側柱２に取付け、前記ローラガイド４の上端部４ａを前記シャッタガイドレール３に対向させる。又、前記上端部４ａに対向させ、断面Ｌ字状のガイドバー５を前記ローラガイド４に固着し、前記上端部４ａと前記ガイドバー５とでガイド溝１１が形成される。前記ガイドバー５には帯状のラックギア６をガイドバー５の全長に亘って固着する。該ラックギア６は、合成樹脂等で成形してもよく、或は簡便にタイミングベルトを前記ガイドバー５に貼設してもよい。
【００１２】
前記シャッタカーテン１の座板７にモータ取付け金具８を固着し、該モータ取付け金具８に開閉モータ９を取付ける。該開閉モータ９の出力軸１０に駆動ギア１２を嵌着すると共に先端には更にガイドローラ１３を回転自在に取付け、前記駆動ギア１２を前記ラックギア６に噛合すると共に前記ガイドローラ１３を前記ガイド溝１１に転動自在に嵌合する。
【００１３】
前記座板７には可充電式電池１５、及びリモート受信部（図示せず）が取付けられ、該可充電式電池１５は前記リモート受信部を介して前記開閉モータ９に給電する様になっている。又、前記側柱２の操作性の良い位置には駆動スイッチ（図示せず）が設けられ、該駆動スイッチを操作することで前記リモート受信部に駆動信号が発せられる様になっている。更に、前記シャッタガイドレール３の上端部及び下端部にはリミットスイッチ（図示せず）が設けられ、前記シャッタカーテン１が全開、全閉状態で前記可充電式電池１５からの給電が停止される様になっている。
【００１４】
又、図５に示す様に前記座板７には受電ソケット１６が取付けられ、該受電ソケット１６は上方に突出する接点１７を有している。又、まぐさ１９下面の前記接点１７と対向する位置には給電ソケット１８が設けられており、該給電ソケット１８は図示しない商用電源に接続されている。而して、前記シャッタカーテン１の全開状態では、前記受電ソケット１６の接点１７が前記給電ソケット１８に嵌入して電気的な接続が行われ、前記給電ソケット１８、受電ソケット１６を介して前記可充電式電池１５を充電可能となっている。
【００１５】
以下、作動を説明する。
【００１６】
全閉状態からシャッタカーテン１を開放する場合は、図示しない駆動スイッチを開操作し、前記リモート受信部を介して前記可充電式電池１５より前記開閉モータ９に給電して該開閉モータ９を駆動させる。前記出力軸１０を介して前記駆動ギア１２が回転され、出力軸１０とラックギア６との噛合関係により、シャッタカーテン１が上昇する。
【００１７】
シャッタカーテン１が完全に上昇すると、前記受電ソケット１６と前記給電ソケット１８とが結合して図示しない所要電源により、前記可充電式電池１５に給電され、前記可充電式電池１５には消費した電力が充電される。
【００１８】
シャッタカーテン１を閉鎖する場合は前記駆動スイッチを閉操作することで前記開閉モータ９が逆転してシャッタカーテン１が降下する。
【００１９】
上下に設けられたリミットスイッチは、シャッターカーテン１の全開、全閉位置で作動し、前記開閉モータ９への給電を停止し、モータの過負荷を防止する。
【００２０】
尚、前記駆動スイッチの外にリモートコントローラにより、前記開閉モータ９を駆動する様にしてもよい。
【００２１】
図６は他の実施の形態を示している。図６中、図３中で示したものと同様のものには同符号を付し、その説明を省略する。該実施の形態は前記開閉モータ９に対する給電方式の変更例を示している。
【００２２】
前記出力軸１０は良電性のもの、或は良電性の金属をメッキしたものであり、前記出力軸１０の中間部には絶縁チューブ２０を介して接点チューブ２１が前記出力軸１０の基部を露出させた状態で嵌着され、前記出力軸１０の先端部には前記ガイドローラ１３が回転自在に取付けられ、前記接点チューブ２１に前記駆動ギア１２が嵌着される。
【００２３】
前記ローラガイド４の前記上端部４ａの前記ガイドバー５対向面には前記ガイドローラ１３の転動面を挟み両側に前記ローラガイド４全長に亘る接点バー２２，２３が貼設され、該両接点バー２２，２３は図示しない切替え駆動スイッチを介して電源にそれぞれ接続され、前記切替え駆動スイッチの操作により、前記接点バー２２，２３を電源に接続すると共に電源への接続極性も切替えられる様になっている。又、前記接点バー２２は前記出力軸１０の先端部に接触すると共に前記接点バー２３は前記接点チューブ２１に接触している。
【００２４】
前記座板７には接点台２５が設けられ、該接点台２５には受電接点２６，２７が絶縁して設けられ、前記受電接点２６は前記出力軸１０の基部に接触し、前記受電接点２７は前記接点チューブ２１に接触する様になっている。
【００２５】
前記駆動ギア１２は前記接点チューブ２１に嵌着される。
【００２６】
開閉する場合は、前記側柱２等建屋側に設けられた切替え駆動スイッチを操作し、前記接点バー２２、接点バー２３、出力軸１０、接点チューブ２１、受電接点２６、受電接点２７を介して前記開閉モータ９に給電して前記駆動ギア１２を回転して前記シャッタカーテン１の昇降を行う。
【００２７】
尚、前記開閉モータ９への電源の供給については建屋側の電源と該開閉モータ９とをカールコード等で直接接続してもよい。
【００２８】
図７は更に他の実施の形態を示しており、前記座板７の中央に前記開閉モータ９を取付け、該開閉モータ９より両方に駆動軸３０を延出し、該駆動軸３０の両端に前記駆動ギア１２、前記ガイドローラ１３を取付ける様にしたものである。該開閉モータ９への給電の方法については前述したと同様であるので説明は省略する。
【００２９】
尚、前記ガイドバー５を省略し、前記ラックギア６を前記シャッタガイドレール３に直接貼設してもよく、或は前記ローラガイド４、該ガイドバー５を前記シャッタガイドレール３に一体化してもよく、前記ラックギア６としてチェーンを使用することも可能であり、この場合前記駆動ギア１２をスプロケットギアとしてもよい等種々変更が可能であることは言う迄もない。
【００３０】
更に、シャッタカーテンは図１で示される様にスラット、座板等によって構成されるが、開閉モータ、駆動ギア等の駆動機構はシャッタカーテンを構成する所要の部材に設けることができ、前述した実施の形態で示した座板に限定されるものではない。又、シャッタカーテンの構成要素としては、スラットの他にパネル、パイプ或はシート等があり、駆動機構は座板以外にスラット、パネル、パイプ、シートに１組又は複数組設けることができる。
【００３１】
シャッタカーテンの収納方式についても、巻取り式に限らず、オーバドアの様にシャッタカーテンをそのまま天井側等に移動させて収納する送込み式、更にパネルを屈曲自在に連結したものでは折畳み式等があり、又シャッタカーテンの開閉動作についても収納部が開口部下部に設けられた引上げ式、収納部が開口部側方に設けられた横引式のもの等種々考えられる。従って、駆動機構はシャッタカーテンの下端に限らず、上端、先端に設けられることもある。要は、シャッタカーテンの収納に支障ない位置でシャッタカーテンの反収納側であればよい。
【００３２】
更に又、駆動機構の組付けは工場で行っても、或は現場で行ってもよい。本発明を実施した場合、通常のバネ利用の手動収納方式と併用することも可能である。又、本発明はシャッタカーテンに駆動機構を、ガイドレール側に少なくともラックギアを取付けるだけでよく、建屋側に対して改良を加える必要がないので、既存の手動式シャッタに容易に後付け施工が可能である。
【００３３】
【発明の効果】
以上述べた如く本発明によれば、シャッタカーテンの下端部に開閉モータを設け、更にシャッタガイドレールに沿ってラックギアを設ける構造であるので、設置スペースは小さくてすみ、又構造は簡単でモータ、ラックギア等について容易に保守が可能である。更に、後付けが可能であり、既存の手動シャッタを電動式シャッタに改良することも可能である等の種々の優れた効果を発揮する。
【図面の簡単な説明】
【図１】本発明の実施の形態の全体を示す正面図である。
【図２】同前実施の形態の要部正面図である。
【図３】図２のＡ−Ａ矢視図である。
【図４】図２のＢ−Ｂ矢視図である。
【図５】同前実施の形態に於ける給電部分を示す斜視図である。
【図６】本発明の他の実施の形態を示す要部断面図である。
【図７】本発明の更に他の実施の形態を示す正面図である。
【符号の説明】
１          シャッタカーテン
２          側柱
６          ラックギア
７          座板
９          開閉モータ
１０        出力軸
１２        駆動ギア
１３        ガイドローラ
１５        可充電式電池
【図１】
0003709280.tif 000002
【図２】
0003709280.tif 000003
【図３】
0003709280.tif 000004
【図４】
0003709280.tif 000005
【図５】
0003709280.tif 000006
【図６】
0003709280.tif 000007
【図７】
0003709280.tif 000008